(57)【特許請求の範囲】
【請求項１】
光源、
少なくとも１つの面特徴を有するランプシェードであって、前記少なくとも１つの面特徴は識別子を有し、前記識別子は前記ランプシェードの少なくとも１つの特性を表す、ランプシェード、並びに
前記ランプシェードの前記少なくとも１つの面特徴を検出するよう構成される検出器、
及び
検出された前記少なくとも１つの面特徴から前記識別子を取得し、取得した前記識別子に基づいて前記ランプシェードの前記少なくとも１つの特性を識別するよう構成される第１のプロセッサ、
を有する照明器具コンポーネント、
を有する照明器具であって、
前記第１のプロセッサは、前記ランプシェードの前記少なくとも１つの特性に基づいて前記光源の光出力を制御するよう構成される、照明器具。
【請求項２】
前記少なくとも１つの面特徴は、前記ランプシェードの表面に埋め込まれる、請求項１に記載の照明器具。
【請求項３】
前記少なくとも１つの面特徴は、前記ランプシェードの表面における突出及び／又は窪みを有し、前記突出及び／又は窪みは、前記識別子を有し、前記検出器は、前記識別子を検出するため前記突出及び／又は窪みを検出するよう構成される、請求項１又は２に記載の照明器具。
【請求項４】
前記少なくとも１つの面特徴の色は、前記ランプシェードの色と異なり、前記色の違いは、前記識別子を表し、前記検出器は、前記識別子を検出するため前記色の違いを検出するよう構成される、請求項１、２又は３に記載の照明器具。
【請求項５】
前記光源は、前記少なくとも１つの面特徴の少なくとも一部を照らすよう構成され、前記検出器は、前記少なくとも１つの面特徴の前記少なくとも一部を検出するよう構成される光学センシングユニットを有する、請求項１乃至４の何れか一項に記載の照明器具。
【請求項６】
前記検出器は、前記少なくとも１つの面特徴の少なくとも一部を照らすよう構成されるさらなる光源を有し、前記検出器は、前記少なくとも１つの面特徴の前記少なくとも一部を検出するよう構成される光学センシングユニットを有する、請求項１乃至４の何れか一項に記載の照明器具。
【請求項７】
前記少なくとも１つの面特徴の少なくとも一部は、前記ランプシェードの材料の導電性と異なる導電性を持つ導電材料を含み、前記検出器は、前記識別子を検出するため前記導電材料を検出するよう構成される、請求項１乃至４の何れか一項に記載の照明器具。
【請求項８】
前記検出器の少なくとも一部は、前記少なくとも１つの面特徴に物理的に接続される、請求項１乃至７の何れか一項に記載の照明器具。
【請求項９】
前記少なくとも１つの特性は、
ランプシェードのタイプ、
ランプシェードのコード、
ランプシェードの配光、及び
ランプシェードのための光設定、
を含む群のうちの少なくとも１つについての情報を有する、請求項１乃至８の何れか一項に記載の照明器具。
【請求項１０】
請求項１乃至９の何れか一項に記載の照明器具で用いる、請求項１乃至９の何れか一項に記載のランプシェードに準じるランプシェード。
【請求項１１】
請求項１乃至９の何れか一項に記載の照明器具で用いる、請求項１乃至９の何れか一項に記載の照明器具コンポーネントに準じる照明器具コンポーネント。
【請求項１２】
請求項１乃至９の何れか一項に記載の照明器具及び第１のデバイスを有する照明システムであって、
前記第１のプロセッサは、取得した前記識別子に基づいて信号を生成するよう構成され、
前記第１のデバイスは、前記信号を受信するよう構成され、前記第１のデバイスは、受信した前記信号に基づいて前記ランプシェードの前記少なくとも１つの特性を識別するよう構成される第２のプロセッサを有する、照明システム。
【請求項１３】
前記第２のプロセッサは、識別された前記少なくとも１つの特性に基づいて制御コマンドを生成するよう構成され、前記第１のプロセッサは、前記制御コマンドに基づいて前記光源の光出力を調整するよう構成される、請求項１２に記載の照明システム。
【請求項１４】
前記第１のデバイスは、ユーザインタフェースを有し、前記ユーザインタフェースは、前記ランプシェードについての情報をユーザに供するよう構成され、前記情報は、前記少なくとも１つの特性に基づく、請求項１２又は１３に記載の照明システム。
【請求項１５】
ランプシェードを識別する方法であって、
少なくとも１つの面特徴を有するランプシェードを設けるステップであって、前記少なくとも１つの面特徴は識別子を有し、前記識別子は前記ランプシェードの少なくとも１つの特性を表す、ステップ、
照明器具コンポーネントを設けるステップ、
前記照明器具コンポーネントにより、前記ランプシェードの前記少なくとも１つの面特徴を検出するステップ、
検出された前記少なくとも１つの面特徴から前記識別子を取得するステップ、
取得した前記識別子に基づいて前記ランプシェードの前記少なくとも１つの特性を識別するステップ、及び
前記ランプシェードの前記少なくとも１つの特性に基づいて光源の光出力を制御するステップ、
を含む方法。
【発明の詳細な説明】
【技術分野】
【０００１】
本発明は、ランプシェードを識別するための照明器具及び方法に関する。本発明はさらに、照明器具で用いるランプシェード及び照明器具コンポーネント(luminaire component)に関する。
【背景技術】
【０００２】
将来及び現在の家庭及び職場(professional)環境は、アンビエント照明、雰囲気(atmosphere)照明、アクセント照明又は作業照明を生成するための多数の制御可能な照明器具を含むであろう。これらの照明器具は、光源、ドライバ、配線、ソケット、ハウジング及びランプシェード等の複数の部品からなる。これら部品の各々は、異なる製造者により生産されるかも可能性があり、照明器具は、さらに別の会社において組み立てられる可能性があり、又はユーザにより組み立てられる可能性がある。さらに、デジタルマニュファクチャリング（例えば、３Ｄプリンティング）の発展が、マスカスタマイゼーションを可能にし、これは、エンドユーザが、照明器具部品の所望の特性を定めることを可能にする。この結果、無限の数のアセンブリの可能性をもたらし、個々の照明器具部品が相応に協働することが要求されるかもしれない（例えば、光源の光出力が、照明器具の他の部品に対して調整されるかもしれない）。国際特許出願公開第WO2014001965 A1号公報は、センサデータに基づいて光出力を調整する照明ユニットであって、センサデータは該照明ユニットの環境特性を表す、照明ユニットを述べている。センサデータはさらに、ライティングフィクスチャ／照明器具デザインの特性を検出し、検出された該特性に基づいて複数の光出力特性のうちの少なくとも１つを調整するために利用されてもよい。
【０００３】
国際特許出願公開第WO2010029459 A1号公報は、有機発光ダイオード(OLED)デバイスであって、該デバイスについての動作情報、例えば、最大駆動電流を、この情報が無線及び／又は有線で電気的に読み出されることができるようにエンコードするタグ素子を有するＯＬＥＤデバイスに関する。本公報はさらに、斯かるタグ素子から動作情報を読み出すための読出しユニットを備えるソケットに関する。タグ素子は、ソケット内の対電極に容量的に結合されることができるタグ電極を有してもよい。代替的に、タグ素子は、ＯＬＥＤデバイスの表面に配置され、斯くして、読出しセンサに自由にアクセスできるようにしてもよい。
【発明の概要】
【発明が解決しようとする課題】
【０００４】
本発明の目的は、ランプシェードの自動検出及び識別を可能にする照明器具、照明システム及び方法に関する。
【課題を解決するための手段】
【０００５】
本発明の第１の態様によれば、前記目的は、照明器具により達成される。照明器具は、
光源、
少なくとも１つの面特徴(surface feature)を有するランプシェードであって、少なくとも１つの面特徴は識別子を有し、識別子は前記ランプシェードの少なくとも１つの特性を表す、ランプシェード、並びに
ランプシェードの少なくとも１つの面特徴を検出するよう構成される検出器、及び
検出された少なくとも１つの面特徴から識別子を取得し、取得した識別子に基づいてランプシェードの少なくとも１つの特性を識別するよう構成される第１のプロセッサ、
を有する第２の照明器具コンポーネント、
を有し、第１のプロセッサは、ランプシェードの少なくとも１つの特性に基づいて光源の光出力を調整するよう構成される。
【０００６】
ランプシェードの少なくとも１つの特性の識別は、第２の照明器具コンポーネントの第１のプロセッサが、例えば、ランプシェードの特性に基づいて光源の光出力を調整することができるという利点を持つ。ランプシェードは、例えば、光源により発せられた光を拡散又は反射してもよく、拡散又は反射特性に基づいて、第１のプロセッサは、どのように光源の光出力を制御するかを決めてもよい。ランプシェードの少なくとも１つの面特徴は、ランプシェードの製造中に作られてもよい。これは、ランプシェード及び第２の照明器具コンポーネントが組み立てられる際、第２の照明器具コンポーネントが、どのようなタイプのランプシェードが該第２の照明器具コンポーネントに取り付けられるのかすぐに分かるので有利である。これはさらに、照明器具コンポーネントが異なる製造者により生産される場合に有利であろう。
【０００７】
照明器具の一実施形態において、少なくとも１つの面特徴は、ランプシェードの表面に埋め込まれる(embedded)。少なくとも１つの面特徴は、ランプシェードの製造中に表面に埋め込まれてもよい。製造者は、ランプシェードについての特定の情報を入手できる(have access to)ようにしてもよい。情報は、少なくとも１つの面特徴の形態で表面に埋め込まれてもよい。これは、検出手段を備える任意の第２の照明器具コンポーネントに自動的に情報を取得する可能性を与えるので有利である。
【０００８】
照明器具の一実施形態において、ランプシェードに具備される少なくとも１つの面特徴は、ランプシェードの表面における突出及び／又は窪みを有し、突出及び／又は窪みは、識別子を有し、検出器は、識別子を検出するため突出及び／又は窪みを検出するよう構成される。突出及び窪みは、製造プロセス中に表面に容易に作られる面特徴のタイプである。突出及び窪みは両方とも、（３Ｄプリンティング等の）積層造形技術が用いられる場合に容易に作られることができる。さらに、窪み部は、（ターニング(turning)、ミリング(milling)、ドリリング(drilling)等の）除去加工技術のためより有利かもしれない。しかしながら、これは、除去加工中に突出の作成を除外するものではない。
【０００９】
照明器具の一実施形態において、ランプシェードに具備される少なくとも１つの面特徴の色は、ランプシェードの色と異なり、色の違いは、識別子を表し、検出器は、識別子を検出するため色の違いを検出するよう構成される。少なくとも１つの面特徴の異なる色は、製造プロセス中に（例えば（３Ｄ）カラープリンティングにより）作られてもよく、又は異なる色は、例えば、後に表面上で塗装／スタンプされてもよい。色を用いる利点は、少なくとも１つの面特徴を作るコスト効率のよい方法であることである。
【００１０】
照明器具の一実施形態において、光源は、少なくとも１つの面特徴の少なくとも一部を照らすよう構成され、検出器は、少なくとも１つの面特徴の少なくとも一部を検出するよう構成される光学センシングユニットを有する。少なくとも１つの面特徴の少なくとも一部を照らすことは、少なくとも１つの面特徴の検出可能性を増加させ、斯くして、識別子を検出する精度を高められるので有利である。少なくとも１つの面特徴を照らすために光源により発せられる光を用いることは、光源が、第２の照明器具コンポーネントに既に位置しており、これにより、少なくとも１つの面特徴を照らすための付加的な光源の必要性を減らせるので有利である。
【００１１】
照明器具の代替的な実施形態において、検出器は、少なくとも１つの面特徴の少なくとも一部を照らすよう構成されるさらなる光源を有し、検出器は、少なくとも１つの面特徴の少なくとも一部を検出するよう構成される光学センシングユニットを有する。ある実施形態において、例えば、少なくとも１つの面特徴の材料の透光性が識別子を検出するために用いられる場合及び第２の照明器具コンポーネントの光源が少なくとも１つの面特徴を照らすことができない場合、付加的な光源が、少なくとも１つの面特徴を照らすため必要とされてもよい。
【００１２】
照明器具の一実施形態において、ランプシェードに具備される少なくとも１つの面特徴の少なくとも一部は、ランプシェードの材料の導電性と異なる導電性を持つ導電材料を含み、検出器は、識別子を検出するため導電材料を検出するよう構成される。この実施形態において、容量式センシングが、ランプシェードから識別子を取得するため少なくとも１つの面特徴の材料特性を検出するために用いられてもよい。
【００１３】
照明器具の一実施形態において、検出器の少なくとも一部は、少なくとも１つの面特徴に物理的に接続される。物理的接続は、検出器による少なくとも１つの面特徴の検出を単純化できるので有利である。照明器具のある実施形態のため、物理的接続は、少なくとも１つの面特徴の検出精度を高め、これにより、第１のプロセッサのためより精度の高い情報を提供できるので有利であろう。
【００１４】
照明器具の一実施形態において、少なくとも１つの特性は、
ランプシェードのタイプ、
ランプシェードのコード、
ランプシェードの配光、及び
ランプシェードのための光設定、
を含む群のうちの少なくとも１つについての情報を有する。
【００１５】
第２の照明器具コンポーネントの第１のプロセッサは、少なくとも１つの特性に基づいて光源の光出力を調整するよう構成される。少なくとも１つの特性に基づいて光源の光出力を調整する利点は、光出力が最適化され得ることである。これは、照明器具の電力消費を削減し、光源の光出力を手動で構成(configure)するステップを除去し、これにより、照明器具のユーザビリティを高めることができる。
【００１６】
本発明の第２の態様によれば、前記目的は、照明システムにより達成される。照明システムは、
請求項１乃至９の何れか一項に記載の照明器具及び第１のデバイスを有し、
第１のプロセッサは、取得した識別子に基づいて信号を生成するよう構成され、
第１のデバイスは、信号を受信するよう構成され、第１のデバイスは、受信した信号に基づいてランプシェードの少なくとも１つの特性を識別するよう構成される第２のプロセッサを有する。
【００１７】
第２の照明器具コンポーネントが、第１のデバイスに識別子を通信できる場合有利である。なぜなら、第２の照明器具コンポーネントが、第１のデバイスにどのようなタイプのランプシェードが第２の照明器具コンポーネントに位置しているかを通信できるからである。
【００１８】
照明システムの一実施形態において、第２のプロセッサは、識別された少なくとも１つの特性に基づいて制御コマンドを生成するよう構成され、第１のプロセッサは、制御コマンドに基づいて光源の光出力を調整するよう構成される。この実施形態は、第１のデバイスが、識別されたランプシェードに基づいて照明システムの光出力を制御することを可能にする。これは、例えば、中央コントローラが、システムの照明器具の光出力を制御するネットワーク化されたシステムにおいて有利であろう。
【００１９】
照明システムの一実施形態において、第１のデバイスは、ユーザインタフェースを有し、ユーザインタフェースは、ランプシェードについての情報をユーザに供するよう構成され、情報は、少なくとも１つの特性に基づく。ユーザインタフェースは、例えば、ランプシェードのタイプをユーザに通信してもよい。これは、ユーザが、ランプシェードのタイプに基づいて光出力に関連する決定(decision)をなすことを可能にする。ユーザインタフェースはさらに、システムに存する照明器具コンポーネントについての情報をユーザに供する。照明器具コンポーネントについての情報をユーザに通信する利点は、ユーザ及び照明システム間のインタラクティビティを高められることである。
【００２０】
照明システムのさらなる実施形態において、ユーザインタフェースは、光源の光出力を調整することに関するユーザ入力を受けるよう構成される。第２のプロセッサは、ユーザ入力に基づいてユーザ制御コマンドを生成するよう構成されてもよく、第１のデバイスは、送信機を介してユーザ制御コマンドを送信するよう構成されてもよい。第２の照明器具コンポーネントは、ユーザ制御コマンドを受信するよう構成されてもよく、第１のプロセッサは、受信したユーザ制御コマンドに基づいて光源の光出力を調整するよう構成されてもよい。この実施形態は、ユーザが、照明システムの光源の光出力を制御することを可能にし、また、ユーザが、ランプシェードの少なくとも１つの特性に基づいて、光出力に関する決定をなすことを可能にする。
【００２１】
本発明の第３の態様によれば、前記目的は、ランプシェードを識別する方法により達成される。方法は、
少なくとも１つの面特徴を有するランプシェードを設けるステップであって、少なくとも１つの面特徴は識別子を有し、識別子はランプシェードの少なくとも１つの特性を表す、ステップ、
第２の照明器具コンポーネントを設けるステップ、
第２の照明器具コンポーネントにより、ランプシェードの少なくとも１つの面特徴を検出するステップ、
検出された少なくとも１つの面特徴から識別子を取得するステップ、
取得した識別子に基づいてランプシェードの少なくとも１つの特性を識別するステップ、及び
ランプシェードの少なくとも１つの特性に基づいて光源の光出力を制御するステップ、を含む。
【図面の簡単な説明】
【００２２】
開示されたデバイス、システム及び方法の上述した及び付加的な目的、特徴及び利点は、添付の図面を参照した、以下のシステム、デバイス及び方法の実施形態の例示的且つ非限定的に詳述される記載からより理解されるであろう。
【図１】本発明による照明器具の一実施形態を概略的に示し、該照明器具は、光源、第１の照明器具コンポーネント及び第２の照明器具コンポーネントを有する。
【図２】突出面特徴及び窪み面特徴を持つ第１の照明器具コンポーネントの断面図を概略的に示す。
【図３】突出面特徴及び窪み面特徴を持つ第１の照明器具コンポーネントの他の実施形態を概略的に示す。
【図４】突出面特徴を持つ第１の照明器具コンポーネント並びに検出ユニット及び少なくとも１つの面特徴の少なくとも一部を照らすよう構成されるさらなる光源を持つ第２の照明器具コンポーネントの断面図を概略的に示す。
【図５ａ】第１の照明器具コンポーネントの材料特性と異なる材料特性を持つ材料を含む第１の照明器具コンポーネントに具備される面特徴を持つ第１の照明器具コンポーネント並びに検出エリアを持つ第２の照明器具コンポーネントの断面図を概略的に示す。
【図５ｂ】第１の照明器具コンポーネントの材料特性と異なる材料特性を持つ材料を含む第１の照明器具コンポーネントに具備される面特徴を持つ第１の照明器具コンポーネント並びに複数の検出エリアを持つ第２の照明器具コンポーネントの断面図を概略的に示す。
【図６】本発明による照明器具の一実施形態を概略的に示す。
【図７】本発明による照明器具の他の実施形態を概略的に示す。
【図８】本発明による照明器具のさらに他の実施形態を概略的に示す。
【図９】本発明による照明システムの一実施形態を概略的に示す。
【００２３】
図面は全て、概略的であり、必ずしも縮尺通りではなく、本発明を説明するために必要な部分しか概して示していない。他の部分は、省略されているか、単に示唆されている可能性がある。
【発明を実施するための形態】
【００２４】
図１は、本発明による照明器具１００の一実施形態を概略的に示す。照明器具１００は、光源１０２、ランプシェード１０４及び第２の照明器具コンポーネント１０８を有する、ランプシェード１０４は、識別子を有する少なくとも１つの面特徴１０６を有し、識別子は、ランプシェード１０４の少なくとも１つの特性を表す。第２の照明器具コンポーネント１０８は、ランプシェード１０４の少なくとも１つの面特徴１０６を検出するよう構成される検出器１１０を有する。第２の照明器具コンポーネント１０８はさらに、検出された少なくとも１つの面特徴１０６から識別子を取得し、取得した識別子に基づいてランプシェード１０４の少なくとも１つの特性を識別するよう構成される第１のプロセッサ１１２を有する。これは、第２の照明器具コンポーネント１０８が、例えば、識別された少なくとも１つの特性に基づいて光源１０２の光出力を制御したり、さらなる制御又は情報提供のためさらなるデバイスに取得した情報を送信することを可能にする。
【００２５】
ランプシェード１０４は、第２の照明器具コンポーネント１０８に接続される／取り付けられる任意のタイプのランプシェードであり得る。第１の例において、少なくとも１つの面特徴１０６は、例えば、ランプシェードに埋め込まれてもよく、ランプシェード及び第２の照明器具コンポーネント１０８（例えば、ＬＥＤモジュール）間の相互接続部に位置してもよい。代替的に、少なくとも１つの面特徴１０６は、例えば、ランプシェードの任意の部分（例えば、ランプシェード自体、コネクタ部分等）にスタンプ又はプリントされてもよい。第２の例において、ランプシェード１０４は、ＬＥＤ照明器具のディフューザであってもよい。少なくとも１つの面特徴１０６は、例えば、第２の照明器具コンポーネント１０８（例えば、ＬＥＤモジュール）の検出器１１０により検出可能な、ディフューザの表面に埋め込まれてもよい。第２の照明器具コンポーネント１０８は、ランプシェード１０４に接続される／取り付けられる任意のタイプの照明器具コンポーネント１０８であり得る。
【００２６】
第２の照明器具コンポーネント１０８の第１のプロセッサ１１２は、検出された少なくとも１つの面特徴１０６から識別子を取得し、取得した識別子に基づいてランプシェード１０４の少なくとも１つの特性を識別するよう構成される。第１のプロセッサ１１２は、識別子のリストが格納されるデータベースに接続されてもよい。格納される識別子は各々、特定のランプシェードについての情報を有してもよい。データベースは、照明器具１００から離れたロケーションにあるデバイス、例えば、リモートサーバに格納されてもよい。第１のプロセッサ１１２は、識別子に基づいてランプシェード１０４の少なくとも１つの特性を取得するため通信ネットワークを介してリモートサーバに接続されてもよい。
【００２７】
少なくとも１つの特性は、例えば、ランプシェード１０４のタイプについての情報を有してもよい。タイプは、例えば、拡散性ランプシェード、反射性ランプシェード等であり得る。タイプは、さらに、ランプシェードの色、ランプシェードの反射特性及び／又はランプシェードの拡散特性についての情報を提供してもよい。
【００２８】
付加的に又は代替的に、少なくとも１つの特性は、ランプシェード１０４のコードを有してもよい。コードは、（例えば、製品タイプを示す）製品コード、固有の製品コード（例えば、シリアル番号）等であってもよい。第１のプロセッサ１１２は、例えば、照明器具コンポーネントの製品タイプ又はシリアル番号についての情報をさらなるデバイスに知らせるためこのコードをさらなるデバイスに通信してもよい。
【００２９】
付加的に又は代替的に、少なくとも１つの特性は、さらに、ランプシェード１０４のための光設定を有してもよい。光設定は、例えば、識別されたランプシェードに合致する光設定、識別されたライトディフューザに合致する光設定、識別されたフィクスチャに合致する光設定及び／又は識別されたリフレクタ若しくはレンズに合致する光設定であってもよい。
【００３０】
照明器具１００の光源１０２は、光を発するよう構成される任意のタイプの光源１０２であってもよい。光源１０２は、全般照明、雰囲気照明、作業照明等のための光を発するよう構成されてもよい。光源１０２は、例えば、ＬＥＤ光源１０２、白熱光源１０２、蛍光光源１０２又は高輝度放電光源１０２であってもよい。光源１０２は、複数の色、色温度及び／又は光強度を発するよう構成されてもよい。光源１０２は、第２の照明器具コンポーネント１０８の第１のプロセッサ１１２より制御されてもよく、他の任意のタイプの制御デバイスにより（例えば、内部プロセッサ１１２、外部プロセッサ１１２等により）制御されてもよい。
【００３１】
ランプシェード１０４は、少なくとも１つの面特徴１０６を有する。少なくとも１つの面特徴１０６は、ランプシェード１０４の製造プロセス中に付され／埋め込まれ／作り出されてもよい。代替的に、少なくとも１つの面特徴１０６は、ランプシェード１０４が製造された後に付され／埋め込まれ／作り出されてもよい。これは、中間製造者又は組立者(assembler)が、少なくとも１つの面特徴１０６を付す／埋め込む／作り出すことができるという利点を持つであろう。
【００３２】
一実施形態において、少なくとも１つの面特徴１０６は、ランプシェード１０４が製造された後にランプシェード１０４に付されてもよい。少なくとも１つの面特徴１０６は、例えば、ＱＲコード（登録商標）又はバーコードであってもよい。ＱＲコード（登録商標）は、ランプシェード１０４の表面に付されるステッカにプリントされてもよい。ＱＲコード（登録商標）はまた、ランプシェードの表面にスタンプ又はプリントされてもよい。この実施形態において、検出器１１０は、ＱＲコード（登録商標）／バーコードリーダを有してもよい。プロセッサ１１２は、ＱＲコード（登録商標）／バーコードリーダの読取りに基づいて照明器具コンポーネント１０４を識別してもよい。
【００３３】
一実施形態において、少なくとも１つの面特徴１０６は、ランプシェード１０４の表面に埋め込まれる。少なくとも１つの面特徴１０６は、ランプシェード１０４の製造プロセス中に埋め込まれてもよい。製造者は、コンポーネントを製造する前にランプシェード１０４についての情報を持つことがよくある。この情報は、少なくとも１つの面特徴１０６にエンコードされ、変換(translate)され得る。少なくとも１つの面特徴１０６はまた、データベースに格納されたコードを表してもよい。データベースは、ランプシェード１０４の情報を有してもよい。それゆえ、これは、少なくとも１つの面特徴１０６が、ランプシェード１０４の製造中に、例えば、３Ｄプリンティングを介して作成される場合に有利であろう。少なくとも１つの面特徴１０６は、ランプシェード１０４の３Ｄモデルに統合(integrate)されてもよく、それゆえ、３Ｄモデルがプリントされる際に作成されてもよい。代替的に、少なくとも１つの面特徴１０６は、ミリング、ドリリング又はターニング等の除去加工プロセスにおいて表面に埋め込まれてもよい。ここでも、ランプシェード１０４は、コンピュータモデルに基づいて製造されることがよくあり、少なくとも１つの面特徴１０６は、コンピュータモデルの一部であってもよい。
【００３４】
図２は、突出面特徴２０２、２０４及び窪み面特徴２０６、２０８を持つランプシェード１０４の一実施形態を概略的に示す。ランプシェード１０４は、突出面特徴２０２、２０４、窪み面特徴２０６、２０８又は両方の組み合わせを有してもよい。突出面特徴２０２、２０４は、同じ高さ、幅及び深さを持ってもよく、高さ、幅及び深さが変わってもよい。突出面特徴２０２、２０４間の距離２１０は、各面特徴２０２、２０４について同様であってもよく、面特徴２０２、２０４間で変わってもよい。同様に、窪み面特徴２０６、２０８は、同じ高さ、幅及び深さを持ってもよく、高さ、幅及び深さが変わってもよい。また、窪み面特徴２０６、２０８間の距離２１０は、各面特徴２０６、２０８について同様であってもよく、面特徴２０６、２０８間で変わってもよい。図２は、立方体の面特徴２０２、２０４、２０６、２０８を示しているが、面特徴は、任意の形状（例えば、球状、凹状、凸状、楕円状、三角形状等）を持ってもよい。一実施形態において、検出器１１０は、面特徴２０２、２０４、２０６、２０８に物理的に接続されてもよい。検出器１１０は、異なる面特徴により押下されるスイッチを有し、これにより、各面特徴２０２、２０４、２０６、２０８の突出／窪みの高さを検出してもよい。第１のプロセッサ１１２はさらに、スイッチから受ける信号に基づいてランプシェード１０４の少なくとも１つの特性を識別してもよい。
【００３５】
図３は、突出面特徴３０２、３０４及び窪み面特徴３０６、３０８を持つランプシェード１０４の他の実施形態を概略的に示す。面特徴３０２、３０４、３０６、３０８は、これらの位置、突出、窪み、面内距離(inter-surface distance)等に基づいて識別子を形成してもよい。図３は、立方体の面特徴１０６を示しているが、面特徴１０６は、任意の形状（例えば、球状、凹状、凸状、楕円状、三角形状、星状、台形状等）を持ってもよい。
【００３６】
一実施形態において、ランプシェード１０４に具備される少なくとも１つの面特徴１０６は、ランプシェード１０４の色と異なる色のものである。少なくとも１つの面特徴１０６の色は、少なくとも１つの面特徴１０６の材料がランプシェード１０４の材料と異なるため異なってもよい。付加的に又は代替的に、色は、ランプシェード１０４の表面にプリント又はスタンプされてもよい。ランプシェード１０４が３Ｄプリンティングプロセスを介して製造される実施形態において、色の違いは、３Ｄプリンタによって、ランプシェード１０４の色と異なる色で少なくとも１つの面特徴１０６をプリントすることにより作られてもよい。
【００３７】
一実施形態において、照明器具１００の光源１０２は、少なくとも１つの面特徴１０６の少なくとも一部を照らすよう構成される。検出器１１０は、少なくとも１つの面特徴１０６の少なくとも一部を検出するよう構成される光学センシングユニットを有する。光学センシングユニットは、例えば、面特徴１０６を検出するためのカメラ、フォトトランジスタ又は複数のフォトトランジスタであってもよい。面特徴１０６の反射率の違い及び／又は面特徴１０６の影の生成(creation)が、検出器１１０の光学センシングユニットにより検出されてもよい。
【００３８】
代替的に、検出器１１０は、少なくとも１つの面特徴１０６の少なくとも一部を照らすよう構成されるさらなる光源４００を有してもよい。検出器１１０はさらに、少なくとも１つの面特徴１０６の少なくとも一部を検出するよう構成される光学センシングユニット４０２を有してもよい。図４は、光学センシングユニット４０２が、例えば、少なくとも１つの面特徴１０６の透光性を検出し、その後、第１のプロセッサ１１２が、ランプシェード１０４の少なくとも１つの特性を識別することができる、例示的な実施形態を示す。検出器１１０は、複数の面特徴１０６を検出するため複数の光源４００及び／又は複数の光学センシングユニット４０２を有してもよい。代替的に、検出器１１０は、ランプシェード１０４の識別子の一部を示すことができる、光学センシングユニット４０２により検出される光量に基づいて面特徴１０６の有無を検出するよう構成されてもよい。
【００３９】
一実施形態において、ランプシェード１０４に具備される少なくとも１つの面特徴１０６の少なくとも一部は、ランプシェード１０４の材料特性と異なる材料特性を持つ材料を含み、検出器１１０は、少なくとも１つの材料特性を検出するよう構成される。図５ａは、ランプシェード１０４（例えば、プラスチック照明器具コンポーネント）の材料特性と異なる材料特性を持つ材料（例えば、導電性金属）を含むランプシェード１０４に具備される面特徴１０６を持つランプシェード１０４並びに検出エリアを持つ第２の照明器具コンポーネント１０８の断面図を概略的に示す。この例において、少なくとも１つの面特徴の材料は、表面に埋め込まれてもよい。検出器１１０は、例えば、導電性材料（例えば、金属、導電性ポリマ、グラファイト等）を検出するよう構成される容量性表面(capacitive surface)（例えば、複数の容量性面特徴１０６を検出するためのｘ−ｙ格子）を有してもよい。図５ｂは、検出器１１０が、容量性面特徴１０６の有／無／容量(capacitivity)を検出するため複数の容量性表面／容量センサを有する実施形態を示す。この実施形態において、面特徴１０６は、ランプシェード１０４の表面の上に位置する。面特徴１０６は、ランプシェード１０４の製造プロセス中に表面に付されてもよく、後で付されてもよい。
【００４０】
一実施形態において、検出器１１０の少なくとも一部は、少なくとも１つの面特徴１０６に物理的に接続される。上述した実施形他のいくつかについて、検出器１１０が、少なくとも１つの面特徴１０６に物理的に接続されることが必要とされる可能性がある。図６は、斯かる実施形態を示す。検出器１１０は、少なくとも１つの面特徴１０６に物理的に接続する。この実施形態において、少なくとも１つの面特徴１０６は、ランプシェードに接続されるモジュールに位置する。少なくとも１つの面特徴１０６は、ランプシェードについての情報を有する識別子を有してもよい。第２の照明器具コンポーネント１０８の検出器１１０が、ランプシェード１０４の少なくとも１つの面特徴１０６を検出し、ランプシェード１０４の第１のプロセッサ１１２が、ランプシェードを識別してもよい。ランプシェードを識別した上で、第２の照明器具コンポーネント１０８の第１のプロセッサ１１２は、ランプシェードの特性に基づいて光源１０２の光出力を調整してもよい。
【００４１】
図７は、本発明による照明器具の他の実施形態を概略的に示す。この実施形態において、少なくとも１つの面特徴１０６は、ランプシェードに位置し、第２の照明器具コンポーネント１０８の検出器１１０は、少なくとも１つの面特徴１０６を遠隔的に検出するための手段を有する。検出器１１０は、例えば、少なくとも１つの面特徴１０６を撮像するカメラを有してもよい。第１のプロセッサ１１２は、コードを認識し、識別子を取得するためデジタル画像処理を用いてもよい。他の例において、検出器１１０は、少なくとも１つの面特徴１０６から反射した光をスキャンするスキャナであってもよく、第１のプロセッサ１１２は、ランプシェードの識別子を取得するためスキャナから受信した信号を解読してもよい。検出器１１０は、少なくとも１つの面特徴１０６を照らすためさらなる光源を有してもよく、又は、照明器具１００の光源１０２が、少なくとも１つの面特徴１０６を照らしてもよい。さらに、取得した識別子は、例えば、ランプシェードのタイプを判断するためデータベースに格納されている識別子と比較されてもよい。
【００４２】
図８は、本発明による照明器具１００のさらに他の実施形態を概略的に示す。照明器具は、上述した面特徴１０６の任意のものに準じた少なくとも１つの面特徴１０６を有するライトディフューザを有する。さらに、照明器具は、検出器１１０、第１のプロセッサ１１２及び光源１０２を有する、第２の照明器具部を有する。検出器１１０は、上述した検出方法の任意のものに準じて、ライトディフューザの少なくとも１つの面特徴１０６を検出してもよい。ライトディフューザのタイプを検出した上で、第１のプロセッサ１１２は、ディフューザの特性と合致するよう光源１０２の光出力を調整してもよい。
【００４３】
図９は、本発明による照明システム９００の一実施形態を概略的に示す。照明システム９００は、上述した実施形態のうちの任意の実施形態の照明器具に準じた照明器具１００を有する。第２の照明器具コンポーネント１０８の第１のプロセッサ１１２は、さらに、取得した識別子に基づいて信号を生成するよう構成されてもよい。第２の照明器具コンポーネント１０８は、信号を送信するため送信機／送受信機を有してもよい。照明システム９００はさらに、受信機／送受信機を介して信号を受信するよう構成される第１のデバイス９０２（例えば、スマートフォン、タブレットＰＣ、スマートウォッチ、スマートガラス等）を有する。第１のデバイス９０２はさらに、受信した信号に基づいてランプシェード１０４の少なくとも１つの特性を識別するよう構成される第２のプロセッサ９０４を有する。第２の照明器具コンポーネント１０８及び第１のデバイス９０２は、任意の通信技術を介して通信してもよい。当業界で知られている様々な無線通信技術、例えば、Ｂｌｕｅｔｏｏｔｈ（登録商標）、Ｗｉ−Ｆｉ又はＺｉｇＢｅｅが用いられてもよい。特定の通信技術が、第２の照明器具コンポーネント１０８及び第１のデバイス９０２の通信能力、無線技術のための通信ドライバの電力消費並びに／又は無線信号の通信範囲に基づいて選択されてもよい。今日多くのコンシューマデバイスは１つ以上の無線通信技術を既に備えており、これは、第２の照明器具コンポーネント１０８及びコンシューマデバイス（すなわち、第１のデバイス９０２）間の通信リンクを形成する労力を減らすので有利である。
【００４４】
一実施形態において、第１のデバイス９０２は、照明器具１００の光出力を制御するよう構成される。この実施形態において、第２のプロセッサ９０４はさらに、識別された少なくとも１つの特性に基づいて制御コマンドを生成するよう構成される。特性は、例えば、ランプシェード１０４（又はディフューザ）の特定の配光であってもよく、この場合、第２のプロセッサ９０４は、特定の配光に応じて光設定／シーンを送信する判断をしてもよい。第２の照明器具ユニット１０８は、この光設定／シーンを受信し、照明器具１００の光源１０２の光出力を調整してもよく、これにより、最適な光効果を作り出すことができる。
【００４５】
一実施形態において、第１のデバイス９０２はさらに、ランプシェード１０４についての情報をユーザに供するよう構成されるユーザインタフェース９０６を有する。情報は、少なくとも１つの特性に基づいてもよい。ユーザインタフェース９０６、例えば、ディスプレイは、ランプシェード１０４のタイプを示してもよい。ユーザインタフェース９０６はさらに、少なくとも１つの特性に関するユーザのための制御オプション、例えば、最適な光設定、ランプシェード１０４のための制御設定及び／又は第２の照明器具コンポーネント１０８のための制御設定等を供してもよい。ユーザインタフェース９０６はさらに、光源１０２の光出力を調整することに関するユーザ入力を受けるよう構成されてもよい。第２のプロセッサ９０４は、ユーザ入力に基づいてユーザ制御コマンドを生成するよう構成されてもよく、第１のデバイス９０２は、ユーザ制御コマンドを送信するよう構成されてもよい。第２の照明器具コンポーネント１０８は、ユーザ制御コマンドを受信するよう構成されてもよく、第１のプロセッサ１１２は、受信したユーザ制御コマンドに基づいて光源１０２の光出力を調整するよう構成されてもよい。斯くして、ユーザが、光源１０２の光出力を制御することを可能にする。
【００４６】
上述した実施形態は、本発明を限定するものではなく、むしろ例示するものであり、当業者は、添付請求項の範囲を逸脱することなく多くの代替的な実施形態を設計できるであろうことに留意されたい。
【００４７】
請求項の如何なる参照符号も、該請求項を制限するものと見なされるべきでない。有する"という動詞の使用は、請求項に述べられたもの以外の要素又はステップの存在を除外するものではない。単数表記は複数の斯かる要素の存在を除外するものではない。本発明は、いくつかの個別素子を有するハードウェアにより、及び適宜にプログラムされたコンピュータ又は処理ユニットにより実現され得る。いくつかの手段を列挙する装置請求項において、これら手段のうちのいくつかは、ハードウェアの同一のアイテムにより具現化され得る。特定の手段が相互に異なる従属請求項に記載されるという単なる事実は、これらの手段の組み合わせが有効に用いられ得ないことを示すものではない。
【図１】
0006772168.tif 000002
【図２】
0006772168.tif 000003
【図３】
0006772168.tif 000004
【図４】
0006772168.tif 000005
【図５ａ】
0006772168.tif 000006
【図５ｂ】
0006772168.tif 000007
【図６】
0006772168.tif 000008
【図７】
0006772168.tif 000009
【図８】
0006772168.tif 000010
【図９】
0006772168.tif 000011